(57)【要約】【課題】使用者の煩雑な操作を軽減し、より簡単に、また迅速に、使用者が所望する画像を出力させる撮像装置、データ通信システムおよびデータ通信方法を提供する。【解決手段】  本発明に係る撮像装置は、撮像装置と外部電子機器が接続されており、かつ撮像装置が省電力モード状態において、外部電子機器用リモコンの所定ボタンが押下されることによって、撮像装置が省電力モードから通常稼動モードへ移行し、かつ外部電子機器に撮像装置に記憶されている静止画像ファイルおよび／または動画像ファイルの各サムネイル画像がマルチ表示される。したがって、使用者は、簡単な操作ですぐに撮像装置にどのような画像が記憶されているかを確認できるため、便利である。【選択図】図３
2010004297.tif 000002
【特許請求の範囲】
【請求項１】
被写体の光学像を取り込み画像信号を生成する撮像手段を備える撮像装置であって、
操作キーを備えるリモートコントローラからの指示に従って制御される外部電子機器と前記撮像装置本体とを接続するためのインタフェース部と、
前記外部電子機器から出力される前記リモートコントローラの前記操作キーの各々の操作に応じた指示に対応するコマンドを受け付けるコマンド受付手段と、
前記画像信号に基づいて該画像信号に対応する静止画または動画の縮小画に対応する縮小画像信号を生成する縮小画像信号生成手段と、
前記画像信号を画像ファイルとして記憶する記憶手段と、
前記記憶手段に記憶されている複数の前記画像ファイルに対応する複数の前記縮小画像信号を前記インタフェース部を介して前記外部電子機器へ出力する出力処理を実行する出力制御手段と、
少なくとも前記撮像手段および前記出力制御手段を含む前記撮像装置本体の一部が非稼動状態である場合に、前記コマンド受付手段において、前記操作キーの単一の操作に応じた指示に対応するコマンドを受け付けると、該撮像装置本体の一部を稼動状態に移行させ、該出力制御手段における出力処理を実行せしめる制御手段を備える、撮像装置。
【請求項２】
前記インタフェース部はＨＤＭＩ規格に準拠しており、相互機器制御機能を備えることを特徴とする、請求項１に記載の撮像装置。
【請求項３】
前記外部電子機器は表示手段をさらに備え、
前記出力制御手段によって出力される前記縮小画像信号はデジタル信号であり、
前記インタフェース部を介して出力される前記デジタル信号は前記表示手段に供給されることを特徴とする、請求項１または２に記載の撮像装置。
【請求項４】
被写体の光学像を取り込み画像信号を生成する撮像手段と、
前記画像信号に基づいて該画像信号に対応する静止画または動画の縮小画に対応する縮小画像信号を生成する縮小画像信号生成手段と、
前記画像信号を画像ファイルとして記憶手段とを備える撮像装置と、
該撮像装置と接続される、操作キーを備えるリモートコントローラからの指示に従って制御される外部電子機器との間でデータ通信を行うデータ通信システムであって、
前記撮像装置は、前記外部電子機器から出力されるリモートコントローラの前記操作キーの各々の操作に応じた指示に対応するコマンドを受け付けるコマンド受付手段と、
前記記憶手段に記憶されている複数の前記画像ファイルに対応する複数の前記縮小画像信号を前記外部電子機器へ出力する出力処理を実行する出力制御手段と、
少なくとも前記撮像手段および前記出力制御手段を含む前記撮像装置本体の一部が非稼動状態である場合に、前記コマンド受付手段において、前記操作キーの単一の操作に応じた指示に対応するコマンドを受け付けると、該撮像装置本体の一部を稼動状態に移行させ、該出力制御手段における出力処理を実行せしめる制御手段をさらに備えることを特徴とする、データ通信システム。
【請求項５】
被写体の光学像を取り込み画像信号を生成する撮像手段と、
前記画像信号に基づいて該画像信号に対応する静止画または動画の縮小画に対応する縮小画像信号を生成する縮小画像信号生成手段と、
前記画像信号を画像ファイルとして記憶手段と
前記記憶手段に記憶されている複数の前記画像ファイルに対応する複数の前記縮小画像信号を介して前記外部電子機器へ出力する出力処理を実行する出力制御手段を備える撮像装置と、
該撮像装置と接続される、操作キーを備えるリモートコントローラからの指示に従って制御される外部電子機器との間でデータ通信を行うデータ通信方法であって、
前記外部電子機器から出力されるリモートコントローラの前記操作キーの各々の操作に応じた指示に対応するコマンドを受け付けるコマンド受付ステップと、
少なくとも前記撮像手段および前記出力制御手段を含む前記撮像装置本体の一部が非稼動状態である場合に、前記コマンド受付ステップにおいて、前記操作キーの単一の操作に応じた指示に対応するコマンドを受け付けると、該撮像本体の一部を稼動状態に移行させる移行ステップと、
前記移行ステップの後に、該出力制御手段における出力処理を実行せしめるステップを備えることを特徴とする、データ通信システム。
【発明の詳細な説明】
【技術分野】
【０００１】
本発明は、特に例えば静止画像および／または動画像を記憶する記憶機能および外部機器と接続するためのインタフェースを有し、該静止画像および／または動画像の縮小画像をマルチ表示出力をさせる撮像装置に関する。
【背景技術】
【０００２】
近年、静止画像を撮像および記録するだけでなく、長時間にわたって動画像を撮像および記録できる機能を有するビデオカメラが商品化されている。撮像された動画像は、ビデオカメラが具備しているモニタに再生表示するだけでなく、ビデオカメラに接続された液晶ディスプレイなどの固定画素方式やブラウン管方式などのテレビ受像機にて再生表示を行うことができる。この再生表示を実現させるビデオカメラとテレビ受像機の接続インタフェースとして、ＨＤＭＩ（Ｈｉｇｈ−Ｄｅｆｉｎｉｔｉｏｎ  Ｍｕｌｔｉｍｅｄｅｉａ  Ｉｎｔｅｒｆａｃｅ）規格のインタフェースを持つビデオカメラやテレビ受像機が商品化されている。このＨＤＭＩ規格のインタフェースを備え、接続されるビデオカメラやテレビ受像機間では、１本のケーブルで映像・音声・制御信号などのデータの送受信が可能である。
【０００３】
さて、このＨＤＭＩ規格に準じた商品には、ＣＥＣ（Ｃｏｎｓｕｍｅｒ  Ｅｌｅｃｔｏｒｏｎｉｃｓ  Ｃｏｎｔｒｏｌ）と呼ばれる相互機器制御機能を備えるものがある。このＣＥＣ機能を使用すると、使用者が１台のリモコンでＣＥＣ機能を持つ複数の電子機器を制御することができる。
【０００４】
従来、この種の電子機器の一例が、特許文献１に開示されている。この従来技術は、表示装置の出力ソースを表示装置側とゲーム機側との間で切替えるときに、操作用のリモコンやコントローラを持ち帰る必要がなく、かつリモコンやコントローラの向きを意識的に画面とは異なる方向に向ける必要なく良好な操作性を得る技術である。
【特許文献１】特開２００８−１８０１５２号公報
【発明の開示】
【発明が解決しようとする課題】
【０００５】
さて、例えば、ビデオカメラとテレビ受像機が接続されているものの、テレビ受像機との間でデータ通信を行っていない場合には、通常ビデオカメラは必要最小限の電力で稼動している。この状態で、使用者が直ぐにビデオカメラの中にどのような画像が記憶されているかが知りたくても、ビデオカメラの電源スイッチを手動で操作することにより起動させるか、付属のリモコンにてビデオカメラを起動させ、かつ再生モードにした後にマルチ画面表示操作を行うといった煩雑な操作が必要であった。
【０００６】
本発明は、上記の問題点を解決するもので、上述した使用者の煩雑な操作を軽減し、より簡単に、また迅速に、使用者が所望する画像を出力させる撮像装置、データ通信システムおよびデータ通信方法を提供するものである。
【課題を解決するための手段】
【０００７】
第１の発明の撮像装置は、被写体の光学像を取り込み画像信号を生成する撮像手段を備える撮像装置であって、操作キーを備えるリモートコントローラからの指示に従って制御される外部電子機器と撮像装置本体とを接続するためのインタフェース部と、外部電子機器から出力されるリモートコントローラの操作キーの各々の操作に応じた指示に対応するコマンドを受け付けるコマンド受付手段と、画像信号に基づいて画像信号に対応する静止画または動画の縮小画に対応する縮小画像信号を生成する縮小画像信号生成手段と、画像信号を画像ファイルとして記憶する記憶手段と、記憶手段に記憶されている複数の画像ファイルに対応する複数の前記縮小画像信号を前記インタフェース部を介して前記外部電子機器へ出力する出力処理を実行する出力制御手段と、少なくとも撮像手段および出力制御手段を含む撮像装置本体の一部が非稼動状態である場合に、コマンド受付手段において、操作キーの単一の操作に応じた指示に対応するコマンドを受け付けると、撮像装置本体の一部を稼動状態に移行させ、出力制御手段における出力処理を実行せしめる制御手段を備えることを特徴とする。
【０００８】
第２の発明の撮像装置は、第１の発明の撮像装置に従属し、インタフェースはＨＤＭＩ規格に準拠しており、相互機器制御機能を備えることを特徴とする。
【０００９】
第３の発明の撮像装置は、第１の発明の撮像装置または第２の発明の撮像装置に従属し、外部電子機器は表示手段をさらに備え、出力制御手段によって出力される縮小画像信号はデジタル信号であり、インタフェース部を介して出力されるデジタル信号は表示手段に供給されることを特徴とする。
【００１０】
第４の発明のデータ通信システムは、被写体の光学像を取り込み画像信号を生成する撮像手段と、画像信号に基づいて画像信号に対応する静止画または動画の縮小画に対応する縮小画像信号を生成する縮小画像信号生成手段と、画像信号を画像ファイルとして記憶手段とを備える撮像装置と、撮像装置と接続される、操作キーを備えるリモートコントローラからの指示に従って制御される外部電子機器との間でデータ通信を行うデータ通信システムであって、撮像装置は、外部電子機器から出力されるリモートコントローラの操作キーの各々の操作に応じた指示に対応するコマンドを受け付けるコマンド受付手段と、記憶手段に記憶されている複数の画像ファイルに対応する複数の縮小画像信号を外部電子機器へ出力する出力処理を実行する出力制御手段と、少なくとも撮像手段および出力制御手段を含む撮像装置本体の一部が非稼動状態である場合に、コマンド受付手段において、操作キーの単一の操作に応じた指示に対応するコマンドを受け付けると、撮像本体の一部を稼動状態に移行させ、出力制御手段における出力処理を実行せしめる制御手段をさらに備えることを特徴とする。
【００１１】
第５の発明のデータ通信方法は、被写体の光学像を取り込み画像信号を生成する撮像手段と、画像信号に基づいて画像信号に対応する静止画または動画の縮小画に対応する縮小画像信号を生成する縮小画像信号生成手段と、画像信号を画像ファイルとして記憶手段と、記憶手段に記憶されている複数の画像ファイルに対応する複数の縮小画像信号を介して外部電子機器へ出力する出力処理を実行する出力制御手段を備える撮像装置と、撮像装置と接続される、操作キーを備えるリモートコントローラからの指示に従って制御される外部電子機器との間でデータ通信を行うデータ通信方法であって、外部電子機器から出力されるリモートコントローラの操作キーの各々の操作に応じた指示に対応するコマンドを受け付けるコマンド受付ステップと、少なくとも撮像手段および出力制御手段を含む撮像装置本体の一部が非稼動状態である場合に、コマンド受付ステップにおいて、操作キーの単一の操作に応じた指示に対応するコマンドを受け付けると、撮像装置本体の一部を稼動状態に移行させる移行ステップと、移行ステップの後に、出力制御手段における出力処理を実行せしめるステップを備えることを特徴とする。
【発明の効果】
【００１２】
この発明によれば、使用者の煩雑な操作を軽減し、より簡単に、また迅速に、使用者が所望する画像を出力させる撮像装置、データ通信システムおよびデータ通信方法を提供することができる。
【発明を実施するための最良の形態】
【００１３】
本実施例においては、撮像装置の１つの例として、電子カメラ１０の形態を説明する。
【００１４】
図１は、本実施例の電子カメラ１０とテレビ受像機４の接続例を示している。電子カメラ１０およびテレビ受像機４はＨＤＭＩケーブル８で接続される。２は電子カメラ１０に操作指示を与えるための電子カメラ用リモコンである。６は、テレビ受像機４とＨＤＭＩケーブル８で接続される電子カメラ１０に操作指示を与えるためのテレビ受像機用リモコンである。
【００１５】
そして、電子カメラ１０およびテレビ受像機４は、ＨＤＭＩ規格に従ってデータの送受を行う。以下、本実施例の電子カメラ１０は、ＨＤＭＩケーブル８でテレビ受像機４と接続されているものとし、ＨＤＭＩ規格に従ってデータ送受を行うものとして、説明を行う。
【００１６】
図２は、テレビ受像機用リモコン６のボタン配置を示した図である。６０は、テレビ受像機４の電源を投入せしめる電源ボタンである。６２は、電子カメラ１０とテレビ受像機４がＨＤＭＩケーブル８で接続されている状態で且つ、電子カメラ１０が電力をセーブする省電力モードの際に、押下されることによって、省電力モードから通常電子カメラ１０が稼動する通常稼動モードに移行し、かつ電子カメラ１０に記憶されている画像情報の一覧、詳細にはサムネイル画像マルチ表示画面をテレビ受像機４へ出力せしめるカメラ一覧ボタンである。省電力モードの詳細については、後述する。６４は、テレビ受像機４のチャネルを選択するためのチャネル選択ボタンであり、６６は、テレビ受像機４に表示されるさまざまな項目を選択／決定するためのカーソルキーである。ここで、電子カメラ１０とテレビ受像機４がＨＤＭＩケーブル８で接続されている状態を、ＨＤＭＩ接続状態と定義する。６８は、ＨＤＭＩ接続状態で、押下されることにより、電子カメラ１０のメニュー画面をテレビ受像機４へ出力せしめるメニューボタンであり、７０は、ＨＤＭＩ接続状態で、押下されることにより、電子カメラ１０内の画像データに対して広角処理を行わせ、テレビ受像機４へ出力せしめるＷＩＤＥボタンである。７２は、同じくＨＤＭＩ接続状態で押下されることにより、電子カメラ１０内の画像データに対してズーム処理を行わせ、テレビ受像機４へ出力せしめるＴＥＬＥボタンであり、７４は、ＨＤＭＩ接続状態で、押下されることにより、電子カメラ１０に対して、後述する静止画撮像処理を行わせ、テレビ受像機４へ出力せしめるカメラボタンである。
【００１７】
このように、ＨＤＭＩケーブル８で互いに接続される電子カメラ１０およびテレビ受像機４は、ＨＤＭＩ規格にＣＥＣと呼ばれる相互機器制御機能を備え、このＣＥＣ機能を使用することにより、テレビ受像機用リモコン６による操作による電子カメラ１０の動作が実現される。
【００１８】
次に図１で示した電子カメラ１０内部のブロック図である図３を用いて、電子カメラ１０の詳細を説明する。
【００１９】
電子カメラ１０は、撮像レンズ１２、ＣＭＯＳイメージャ１４ａおよび撮像処理部１４ｂを有するＣＭＯＳイメージャユニット１４、ＳＤＲＡＭ１８、タイマ２０ａを有するＣＰＵ２０、圧縮・伸張処理部２２、コマンド制御部２４、操作部２６、リモコン受光部２８、カード制御部３０、外部メモリカード３２、ＬＣＤモニタ３４、ＨＤＭＩインタフェース３６、ＨＤＭＩ端子３８およびバス４２を備えて構成されている。図４は、ＨＤＭＩ端子３８のコネクタピン配列を示しており、テレビ受像機４とのデータの送受を該ＨＤＭＩ端子３８を介して行う。
【００２０】
撮像レンズ１２は、被写体の光学像を、撮像デバイスであるＣＭＯＳイメージャ１４ａの撮像面上に結像させる。また、撮像レンズ１２は、ＣＭＯＳイメージャ１４ａの出力信号に基づいて、光軸方向の移動を調節される。ＣＭＯＳイメージャ１４ａから出力されたアナログ撮像信号は、一旦、ＳＤＲＡＭ１８に格納され、ＳＤＲＡＭ１８に格納されているアナログ撮像信号が撮像処理部１４ｂに入力され、撮像処理部１４ｂによってさまざまな信号処理が施され、その結果、輝度信号であるＹ信号および色差信号であるＵ、Ｖ信号が生成される。
【００２１】
撮像レンズ１２、ＣＭＯＳイメージャユニット１４、ＳＤＲＡＭ１８、圧縮・伸張処理部２４、カード制御部３０およびＬＣＤモニタ３４は、バス４２を介して、ＣＰＵ２０によって制御される。ＣＰＵ２０は、図示しない内部メモリに格納されているプログラムに従って、接続されるブロックに対して制御を行う。また、タイマ２０ａは、ＣＰＵ２０の内部に設けられ、時間をカウントし、所定時間をカウントするとタイムアップ状態を示すフラグを立てる。
【００２２】
ＣＰＵ２０は、また、コマンド制御部２４、操作部２６およびリモコン受光部２８に接続される。そして、電子カメラ１０には、ＣＰＵ２０が、タイマ２０ａからのタイムアップ状態を示すフラグを検知することにより、所定の時間内に操作部１２またはリモコン受光部２８への操作指示の入力がないと判断すると、電子カメラ１０の通常の稼動状態の通常稼動モードから一部の稼動を停止するモードに移行する、省電力モードが設けられている。
【００２３】
本実施例における、この省電力モードでは、ＨＤＭＩインタフェース３６、コマンド制御部２４およびＣＰＵ２０への電力供給が行われるものの、他のブロックには電力供給が行われなれず、他のブロックについては非稼動状態なる。この非稼動状態に対して、ほとんど全部のブロックに電力供給が行われると、通常稼動状態となり、この状態を通常稼動モードと定義する。
【００２４】
操作部２６またはリモコン受光部２８またはコマンド制御部２４からの指示を受けることによって、ＣＰＵ２０は撮像処理および再生処理を実行する。本実施例の電子カメラ１０において、撮像処理として、静止画撮像処理および動画撮像処理がある。
【００２５】
まず、静止画撮像処理を具体的に説明する。操作部２６またはリモコン受光部２８またはコマンド制御部２４から静止画撮像指示がＣＰＵ２０に与えられると、ＣＰＵ２０は、撮像レンズ１２、ＣＭＯＳイメージャユニット１４およびＳＤＲＡＭ１８を制御することによって、１フレーム分のＹ、Ｕ、Ｖ信号を生成する。Ｙ、Ｕ、Ｖ信号はバス４２を介して、再びＳＤＲＡＭ１８に一旦格納され、圧縮・信号処理部２２に入力される。圧縮・伸張処理部２２では、Ｙ、Ｕ、Ｖ信号に対して、圧縮・伸張処理を施す。静止画撮像処理が実行される場合には、圧縮・伸張処理部２２は、圧縮・伸張処理としてＪＰＥＧ方式に従ってＹ、Ｕ、Ｖ信号に対し圧縮・伸張処理を施し、静止画像圧縮データをバス４２へ出力する。
【００２６】
また、ＳＤＲＡＭ１８に一旦格納されたＹ、Ｕ、Ｖ信号は、ＣＰＵ２０により間引き処理が施され、静止画サムネイル画像データが生成される。そして、圧縮・画像処理部２２へ入力されることにより、ＪＰＥＧ方式で圧縮処理が施され、静止画サムネイル圧縮データが生成され、バス４２へ出力される。出力された静止画像圧縮データおよび静止画サムネイル圧縮データは、ＣＰＵ２０により制御されるカード制御部３０によって、静止画像ファイルとして外部メモリカード３２に記憶される。
【００２７】
次に、動画撮像処理を具体的に説明する。操作部２６またはリモコン受光部２８またはコマンド制御部２４から動画撮像指示がＣＰＵ２０に与えられると、ＣＰＵ２０は、撮像レンズ１２、ＣＭＯＳイメージャユニット１４およびＳＤＲＡＭ１８を制御することによって、所定のフレームレートに従って、Ｙ、Ｕ、Ｖ信号を繰り返し生成する。Ｙ、Ｕ、Ｖ信号はバス４２を介して、再びＳＤＲＡＭ１８に格納され、圧縮・信号処理部２２へ繰り返し入力される。動画撮像処理が実行される場合には、圧縮・伸張処理部２２は、圧縮処理としてＭＰＥＧ方式に従って、Ｙ、Ｕ、Ｖ信号に対し圧縮処理を施し、動画像圧縮データは、バス４２を介して、ＳＤＲＡＭ１８に格納される。また、ＳＤＲＡＭ１８に連続的に格納されたＹ、Ｕ、Ｖ信号の１フレーム分に対して、ＣＰＵ２０は間引き処理を施すことによって動画サムネイル画像を生成する。そして、圧縮・伸張処理部２２へ入力されることにより、この場合、圧縮・伸張処理部２２はＪＰＥＧ方式に従って圧縮処理を施すことにより、動画サムネイル圧縮画像データを生成する。そして、ＣＰＵ２０により制御されるカード制御部３０によって、動画像圧縮データおよび動画サムネイル画像は、動画像ファイルとして外部メモリカード３２に記憶される。
【００２８】
次に、再生処理を具体的に説明する。本実施例において、再生処理としては、複数の静止画像ファイルまたは動画像ファイルの静止画サムネイル画像または動画像サムネイル画像のサムネイル画像マルチ表示画面データを生成し、ＬＤＣモニタ３４またはＨＤＭＩインタフェース３６を介して、テレビ受像機４へ出力させるサムネイル画像マルチ再生処理、静止画像ファイルの１フレーム分の静止画像をＬＣＤモニタ３４またはＨＤＭＩインタフェース３６を介して、テレビ受像機４へ出力させる静止画像再生処理および、動画像ファイルの複数フレームで構成される動画像を撮像時のフレームレートにてＬＣＤモニタ３４またはＨＤＭＩインタフェース３６を介して、テレビ受像機４へ出力させる動画像再生処理がある。
【００２９】
まず、サムネイル画像マルチ再生処理を具体的に説明する。操作部２６またはリモコン受光部２８からＬＣＤモニタ３４へ出力するためのサムネイル画像マルチ再生処理指示が、ＣＰＵ２０に与えられると、ＣＰＵ２０はカード制御部３０を制御し、外部メモリカード３２に記憶されている静止画像ファイルおよび動画像ファイルから、各ファイルのサムネイル画像を読み出し、圧縮・伸張処理部２２へ出力する。圧縮・伸張処理部２２では、ＪＰＥＧ方式に従って伸張処理を施し、ＳＤＲＡＭ１８へ出力する。そしてＣＰＵ２０は、ＳＤＲＡＭ１８上に、サムネイル画像を縦３枚×横３枚、合計９枚分のサムネイルを配列させるサムネイル画像マルチ表示画面データを生成し、ＬＣＤモニタ３４に出力する。本実施例におけるサムネイル画像マルチ表示画面としては、図５に示すように、７０〜８２に示す７枚を静止画像ファイルに対応する静止画サムネイル画像、８４および８６に示す２枚を動画像ファイルに対応する動画サムネイル画像とし、サムネイル画像マルチ再生処理では、これらのサムネイル画像のサムネイル画像マルチ表示画面データを生成している。
【００３０】
また、上述した省電力モードにおいて、テレビ受像機用リモコン６のカメラ一覧ボタン６２が押下されることにより、テレビ受像機４に接続されるＨＤＭＩ端子３８を介して、一部稼動中のＨＤＭＩインタフェース３６からＣＥＣ信号線を通ってコマンド制御部２４に、外部メモリカード３２に記憶されている各ファイルのサムネイル画像を出力指示するためのサムネイル画像出力コマンドが入力される。
【００３１】
コマンド制御部２４は、どのようなコマンドが入力されたかを解析するコマンド解析を行い、テレビ受像機４へサムネイル画像マルチ表示画面データを出力させるためのコマンドであると判断すると、ＣＰＵ２０へテレビ受像機４へ出力させるためのサムネイル画像マルチ再生処理指示を出力する。
【００３２】
すると、ＣＰＵ２０は電子カメラ１０を一部の稼動を停止している省電力モードから、通常稼動モードへ移行させる。そして、ＣＰＵ２０は、外部メモリカード３２に記憶されている静止画像ファイルおよび／または動画像ファイルから各ファイルのサムネイル画像圧縮データを読み出し、圧縮・伸張処理部２２によりＪＰＥＧ方式に従う伸張処理が施された各サムネイル画像データに基づいて、図５に示すように９枚分のサムネイルを配列させるサムネイル画像マルチ表示画面データを生成する。そして、ＴＭＤＳ信号線を通してＨＤＭＩインタフェース３６からＨＤＭＩ端子３８を介して、テレビ受像機４へ、サムネイル画像マルチ表示画面データを出力する。
【００３３】
次に、静止画像再生処理を具体的に説明する。操作部２６またはリモコン受光部２８からＬＣＤモニタ３４へ、外部メモリカード３２に記憶されている静止画像ファイルの静止画像をＬＣＤモニタ３４へ出力させる静止画像再生処理指示が、ＣＰＵ２０に与えられると、ＣＰＵ２０はカード制御部３０を制御して、所望の静止画像圧縮データを読み出し、圧縮・伸張処理部２２へ入力する。圧縮・伸張処理部２２では、ＪＰＥＧ方式に従って伸張処理を施し、ＳＤＲＡＭ１８に一旦格納した後、ＬＣＤモニタ３４へ出力する。
【００３４】
また、テレビ受像機用リモコン６のメニューボタン６８およびカーソルキー６６が操作されることによって、テレビ受像機４へ、外部メモリカード３２に記憶されている静止画像圧縮データに基づく静止画像データを出力させるコマンドがＨＤＭＩ端子３８およびＨＤＭＩインタフェース３６を介してコマンド制御部２４に入力されると、コマンド制御部２４は、どのようなコマンドが入力されたかを解析するコマンド解析を行う。
【００３５】
そして、コマンド制御部２４は、ＣＰＵ２０に対して、テレビ受像機４へ静止画像データを出力させる指示を出力する。ＣＰＵ２０は、該指示を受け取ると、カード制御部３０を制御して、所望の静止画像圧縮データを読み出し、圧縮・伸張処理部２２でＪＰＥＧ方式に従って伸張処理を施し、ＳＤＲＡＭ１８に一旦格納した後、ＴＭＤＳ信号線を通してＨＤＭＩインタフェース３６およびＨＤＭＩ端子３８を介してテレビ受像機４へ、静止画像データを出力する。
【００３６】
動画像再生処理は、ＣＰＵ２０によって、ほぼ静止画像再生処理と同様の手続にて実行される。相違点としては、圧縮・伸張処理部２２における伸張処理がＭＰＥＧ方式に従うものであり、ＬＣＤモニタ３４、またはＨＤＭＩインタフェース３６およびＨＤＭＩ端子３８を介してテレビ受像機４へ、動画像データが動画撮像時のフレームレートに従って出力される。
【００３７】
次に、図７および図８のフローチャートを参照して、本実施例の電子カメラ１０におけるＣＰＵ２０の動作について説明する。
【００３８】
まず、電子カメラ１０の電源がＯＮ状態となると、ステップＳ１で、タイマ２０ａのリセット＆スタートを実行し、ステップＳ３へ進む。ステップＳ３では、タイマ２０ａがタイムアップして、タイムアップ状態を示すフラグが立っているか否かを判別する。ステップＳ３においてＮＯと判別すると、ステップＳ５へ進み、コマンド制御部２４から指示の入力が有ったか否かを判別する。ステップＳ５においてＮＯと判別するとステップＳ７へ進み、操作部２６またはリモコン受光部２８から操作指示が有ったか否かを判別し、ＮＯと判別するとステップＳ３へ戻る。ステップＳ７においてＹＥＳと判別するとステップＳ９へ進み、操作部２６またはリモコン受光部２８からの操作指示に応じた処理を実行し、ステップＳ１へ戻る。
【００３９】
ステップＳ５において、ＹＥＳと判別すると、ステップＳ１１へ進み、コマンド制御部２４からの指示に応じた処理を実行し、ステップＳ１へ戻る。
【００４０】
ステップＳ３において、ＹＥＳと判別すると、ステップＳ１３へ進み、電子カメラ１０を通常稼動モードから一部のブロックの稼動を停止する省電力モードへ移行させる。そして、ステップＳ１５へ進み、コマンド制御部２４からテレビ受像機４へ出力させるためのサムネイル画像マルチ再生処理指示が有ったか否かを判別する。ステップＳ１５においてＮＯと判別するとステップＳ１７へ進み、操作部２６またはリモコン受光部２８から操作指示が有ったか否かを判別する。ステップＳ１７において、ＮＯであると判別するとステップＳ１５へ戻り、ＹＥＳであると判別するとステップＳ１９へ進む。ステップＳ１９では、電子カメラ１０を一部の稼動を停止する省電力モードから通常稼動モードへ移行させ、ステップＳ９へ進む。
【００４１】
ステップＳ１５において、ＹＥＳと判別すると、ステップＳ２１へ進み、電子カメラ１０を一部の稼動を停止する省電力モードから通常稼動モードへ移行させ、ステップＳ２３へ進む。ステップＳ２３では、外部メモリカード３２に記憶されている静止画像ファイルおよび／または動画像ファイルから各ファイルのサムネイル画像圧縮データを読み出し、圧縮・伸張処理部２２によりＪＰＥＧ方式に従う伸張処理が施された各サムネイル画像データに基づいて、図５に示すように９枚分のサムネイルを配列させるサムネイル画像マルチ表示画面データを生成する。そして、ステップＳ２５へ進み、ＴＭＤＳ信号線を通してＨＤＭＩインタフェース３６からＨＤＭＩ端子３８を介して、テレビ受像機４へ、サムネイル画像マルチ表示画面データを出力し、ステップＳ１へ戻る。
【００４２】
以上のように、本実施例によれば、電子カメラ１０とテレビ受像機４がＨＤＭＩケーブル８で接続されており、かつ電子カメラ１０が省電力モードにおいて、テレビ受像機用リモコン６のカメラ一覧ボタン６２が押下されると、電子カメラ１０が省電力モードから通常稼動モードへ移行し、かつテレビ受像機４に、電子カメラ１０の外部メモリカード３２に記憶されている静止画像ファイルおよび／または動画像ファイルの各サムネイル画像がマルチ表示されるため、使用者にとっては、簡単な操作ですぐに外部メモリカード２０にどのような画像が記憶されているかを確認できるため、便利である。
【００４３】
また、電子カメラ１０に備えられたＬＣＤモニタ３４のよりも大きいテレビ受像機４のディスプレイにて、サムネイル画像がマルチ表示されるため、ＬＣＤモニタ３４にて所望のサムネイル画像を検索するよりも、検索しやすく、利便性が高い。
【００４４】
また、本実施例の電子カメラ１０とテレビ受像機４は、ＨＤＭＩ規格のインタフェースに準じたＨＤＭＩケーブル８で接続されており、非圧縮デジタル音声および映像を伝達することができ、高品質の音声および映像画質の劣化が生じないため、使用者は、常に鮮明な映像を見ることができる。そして、ＨＤＭＩ規格のインタフェースで互いに接続される電子機器が、現在急速に普及が始まっているため、汎用性が高い。
【００４５】
なお、本実施例の電子カメラ１０では、撮像デバイスとしてＣＭＯＳイメージャ１４ａを採用したが、ＣＣＤイメージャでもよい。
【００４６】
また、本実施例の電子カメラ１０では、外部メモリカード３２に静止画像ファイルおよび／または動画像ファイルが記憶される構成としたが、電子カメラ１０内部に設けられたメモリでもよい。
【００４７】
また、本実施例の電子カメラ１０では、テレビ受像機４と接続されるインタフェースとしてＨＤＭＩ規格のインタフェースを採用したが、他のインタフェースでも良い。
【００４８】
また、本実施例の電子カメラ１０は、電子カメラ１０内のＨＤＭＩ端子３８を介して、直接テレビ受像機４とＨＤＭＩケーブル８にて接続される構成としたが、電子カメラ１０とテレビ受像機４との間に電子カメラ１０用のクレードルを介して、接続しても良い。
【００４９】
また、本実施例の電子カメラ１０では、省電力モード状態において、ＨＤＭＩインタフェース３６、コマンド制御部２４およびＣＰＵ２０のみへ電力供給が行われているが、電子カメラ１０の消費電力が、通常稼動モードに対して極力少ない節電状態となるような電力供給状態であれば、他のブロックに対しても電力供給が行われていても良い。
【００５０】
また、本実施例の電子カメラ１０では、ＣＰＵ２０が電子カメラ１０のほとんど全ての機能を制御しているとして説明したが、ＣＰＵは複数存在し、夫々のＣＰＵが制御する機能が夫々異なるような構成でも良い。この構成における、省電力モード状態としては、ＨＤＭＩインタフェース３６、コマンド制御部２４及びコマンド制御部２４に接続されるＣＰＵのみへ電力供給が行われる状態であっても良い。
【００５１】
また、本実施例の電子カメラ１０では、コマンド制御部２４がＨＤＭＩインタフェース３６に接続され、テレビ受像機４からのコマンドを解析し、ＣＰＵ２０へ指示を出力しているが、ＣＰＵ２０がコマンド制御部２４の機能を持っていても良い。その場合、ＨＤＭＩインタフェース３６とＣＰＵ２０が接続され、コマンド解析をＣＰＵ２０が実行することとなる。
【図面の簡単な説明】
【００５２】
【図１】本発明の一実施例である電子カメラと外部電子機器であるテレビ受像機との接続例を示す図である。
【図２】本発明の一実施例である電子カメラと接続される外部電子機器であるテレビ受像機用のリモコンのボタン配列を示す図である。
【図３】本発明の一実施例である電子カメラの構成を示すブロック図である。
【図４】本発明の一実施例である電子カメラのＨＤＭＩ端子のコネクタピン配列を示す図である。
【図５】本発明の一実施例である電子カメラのＬＣＤモニタ、または、電子カメラと接続される外部電子機器のテレビ受像機のディスプレイに表示される９枚分のサムネイル画像マルチ表示の一例を示す図解図である。
【図６】本発明の一実施例である電子カメラの動作の一部を示すフロー図である。
【図７】本発明の一実施例である電子カメラの動作の他の一部を示すフロー図である。
【符号の説明】
【００５３】
４      …テレビ受像機
６      …テレビ受像機用リモコン
８      …ＨＤＭＩケーブル
１０    …電子カメラ
１２    …撮像レンズ
１４    …ＣＭＯＳイメージャユニット
１８    …ＳＤＲＡＭ
２０    …ＣＰＵ
２０ａ  …タイマ
２２    …圧縮・伸張処理部
２４    …コマンド制御部
２６    …操作部
３０    …カード制御部
３２    …外部メモリカード
３４    …ＬＣＤモニタ
３６    …ＨＤＭＩインタフェース
３８    …ＨＤＭＩ端子
４２    …バス
６２    …カメラ一覧ボタン
【図１】
2010004297.tif 000003
【図２】
2010004297.tif 000004
【図３】
2010004297.tif 000005
【図４】
2010004297.tif 000006
【図５】
2010004297.tif 000007
【図６】
2010004297.tif 000008
【図７】
2010004297.tif 000009